【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
Ａ）１以上のポリイソシアネート、
Ｂ）１以上のイソシアネート反応性ブロックコポリマー、
Ｃ）化学線への暴露によってエチレン性不飽和化合物と重合を伴って反応する基を有する１以上の化合物、
Ｄ）必要に応じて、１以上のフリーラジカル安定剤、および
Ｅ）光開始剤
を含んでなるポリウレタン組成物。
【請求項２】
成分Ａ）のポリイソシアネートの少なくとも６０重量％は、脂肪族および／または脂環式のジイソシアネートおよび／またはトリイソシアネートをベースとする、請求項１に記載のポリウレタン組成物。
【請求項３】
成分Ａ）のポリイソシアネートは、脂肪族および／または脂環式のジイソシアネートおよび／またはトリイソシアネートのオリゴマーである、請求項２に記載のポリウレタン組成物。
【請求項４】
Ｂ）に用いるブロックコポリマーは、ポリエステル、ポリエーテル、ポリカーボネート、ポリ（メタ）アクリレートおよび／またはポリウレタンのブロック状に配置されたセグメントを有する、請求項１に記載のポリウレタン組成物。
【請求項５】
Ｂ）に用いるブロックコポリマーは、内部ブロックとしてポリカーボネート系、ポリエーテル系またはポリエステル系のジヒドロキシ官能性化合物をベースとし、そのヒドロキシル基は、ラクトンとブロック付加反応して３−ブロックまたはマルチ−ブロックコポリマーを生じるものである、請求項１に記載のポリウレタン組成物。
【請求項６】
内部ブロックとしてのジヒドロキシ官能性化合物は、エチレンオキシド、プロピレンオキシドおよび／またはテトラヒドロフランに基づくポリエーテルジオールをベースとする、請求項５に記載のポリウレタン組成物。
【請求項７】
ブチロラクトン、ε−カプロラクトン、メチル−ε−カプロラクトン、γ−フェニル−ε−カプロラクトン、ε−デカノラクトンまたはこれらの混合物をラクトンとして用いる、請求項５に記載のポリウレタン組成物。
【請求項８】
内部ポリエーテルブロックは、２５０ｇ／ｍｏｌ〜２０００ｇ／ｍｏｌの数平均モル質量を有する、請求項５に記載のポリウレタン組成物。
【請求項９】
ラクトンブロックはε−カプロラクトンをベースとし、それぞれ１１４ｇ／ｍｏｌ〜７００ｇ／ｍｏｌの数平均モル質量を有する、請求項５に記載のポリウレタン組成物。
【請求項１０】
末端ヒドロキシル基および５００ｇ／ｍｏｌ〜５０００ｇ／ｍｏｌの数平均モル質量を有する直鎖状ポリ（ε−カプロラクトン）ブロック−ポリ（テトラヒドロフラン）ブロック−ポリ（ε−カプロラクトン）ポリオールはブロックコポリマーとしてＢ）に存在し、ポリ（テトラヒドロフラン）ブロックの平均質量分率は、数平均ブロックコポリマーを基準として０．２〜０．９であり、２つのポリ（ε−カプロラクトン）ブロックの平均質量分率は、数平均ブロックコポリマーを基準として０．１〜０．８である、請求項１に記載のポリウレタン組成物。
【請求項１１】
ポリウレタン組成物中のＯＨ基に対するＮＣＯのモル比は０．９０〜１．２５である、請求項１に記載のポリウレタン組成物。
【請求項１２】
９−ビニルカルバゾール、ビニルナフタレン、ビスフェノールＡジアクリレート、テトラブロモビスフェノールＡジアクリレート、１，４−ビス（２−チオナフチル）−２−ブチルアクリレート、ペンタブロモフェニルアクリレート、ナフチルアクリレートおよびプロパン−２，２−ジイルビス［（２．６−ジブロモ−４，１−フェニレン）オキシ（２−｛［３，３，３−トリス（４−クロロフェニル）プロパノイル］オキシ｝プロパン−３，１−ジイル）オキシエタン−２，１−ジイル］ジアクリレートからなる群の１以上の化合物をＣ）に用いる、請求項１に記載のポリウレタン組成物。
【請求項１３】
請求項１に記載のポリウレタン組成物から製造されるポリマープラスチック。
【請求項１４】
ポリマープラスチックは−４０℃未満のガラス転移温度を有する、請求項１３に記載のポリマープラスチック。
【請求項１５】
請求項１に記載のポリウレタン組成物から製造されるホログラフィック媒体。
【手続補正２】
【補正対象書類名】明細書
【補正対象項目名】０１０１
【補正方法】変更
【補正の内容】
【０１０１】
上記のように、本発明による２成分処方物Ａ〜Ｆが全ての評価基準において比較例Ｇより実質的に高い透明度を有することを見出した。
本発明の好ましい態様は、以下を包含する。
［１］Ａ）１以上のポリイソシアネート、
Ｂ）１以上のイソシアネート反応性ブロックコポリマー、
Ｃ）化学線への暴露によってエチレン性不飽和化合物と重合を伴って反応する基を有する１以上の化合物、
Ｄ）必要に応じて、１以上のフリーラジカル安定剤、および
Ｅ）光開始剤
を含んでなるポリウレタン組成物。
［２］成分Ａ）のポリイソシアネートの少なくとも６０重量％は、脂肪族および／または脂環式のジイソシアネートおよび／またはトリイソシアネートをベースとする、［１］に記載のポリウレタン組成物。
［３］成分Ａ）のポリイソシアネートは、脂肪族および／または脂環式のジイソシアネートおよび／またはトリイソシアネートのオリゴマーである、［２］に記載のポリウレタン組成物。
［４］Ｂ）に用いるブロックコポリマーは、ポリエステル、ポリエーテル、ポリカーボネート、ポリ（メタ）アクリレートおよび／またはポリウレタンのブロック状に配置されたセグメントを有する、［１］に記載のポリウレタン組成物。
［５］Ｂ）に用いるブロックコポリマーは、内部ブロックとしてポリカーボネート系、ポリエーテル系またはポリエステル系のジヒドロキシ官能性化合物をベースとし、そのヒドロキシル基は、ラクトンとブロック付加反応して３−ブロックまたはマルチ−ブロックコポリマーを生じるものである、［１］に記載のポリウレタン組成物。
［６］内部ブロックとしてのジヒドロキシ官能性化合物は、エチレンオキシド、プロピレンオキシドおよび／またはテトラヒドロフランに基づくポリエーテルジオールをベースとする、［５］に記載のポリウレタン組成物。
［７］ブチロラクトン、ε−カプロラクトン、メチル−ε−カプロラクトン、γ−フェニル−ε−カプロラクトン、ε−デカノラクトンまたはこれらの混合物をラクトンとして用いる、［５］に記載のポリウレタン組成物。
［８］内部ポリエーテルブロックは、２５０ｇ／ｍｏｌ〜２０００ｇ／ｍｏｌの数平均モル質量を有する、［５］に記載のポリウレタン組成物。
［９］ラクトンブロックはε−カプロラクトンをベースとし、それぞれ１１４ｇ／ｍｏｌ〜７００ｇ／ｍｏｌの数平均モル質量を有する、［５］に記載のポリウレタン組成物。
［１０］末端ヒドロキシル基および５００ｇ／ｍｏｌ〜５０００ｇ／ｍｏｌの数平均モル質量を有する直鎖状ポリ（ε−カプロラクトン）ブロック−ポリ（テトラヒドロフラン）ブロック−ポリ（ε−カプロラクトン）ポリオールはブロックコポリマーとしてＢ）に存在し、ポリ（テトラヒドロフラン）ブロックの平均質量分率は、数平均ブロックコポリマーを基準として０．２〜０．９であり、２つのポリ（ε−カプロラクトン）ブロックの平均質量分率は、数平均ブロックコポリマーを基準として０．１〜０．８である、［１］に記載のポリウレタン組成物。
［１１］ポリウレタン組成物中のＯＨ基に対するＮＣＯのモル比は０．９０〜１．２５である、［１］に記載のポリウレタン組成物。
［１２］９−ビニルカルバゾール、ビニルナフタレン、ビスフェノールＡジアクリレート、テトラブロモビスフェノールＡジアクリレート、１，４−ビス（２−チオナフチル）−２−ブチルアクリレート、ペンタブロモフェニルアクリレート、ナフチルアクリレートおよびプロパン−２，２−ジイルビス［（２．６−ジブロモ−４，１−フェニレン）オキシ（２−｛［３，３，３−トリス（４−クロロフェニル）プロパノイル］オキシ｝プロパン−３，１−ジイル）オキシエタン−２，１−ジイル］ジアクリレートからなる群の１以上の化合物をＣ）に用いる、［１］に記載のポリウレタン組成物。
［１３］［１］に記載のポリウレタン組成物から製造されるポリマープラスチック。
［１４］ポリマープラスチックは層または成形品である、［１３］に記載のポリマープラスチック。
［１５］ポリマープラスチックは−４０℃未満のガラス転移温度を有する、［１３］に記載のポリマープラスチック。
［１６］［１］に記載のポリウレタン組成物から製造されるホログラフィック媒体。
［１７］［１３］に記載の少なくとも１つのポリマープラスチックを含んでなるホログラフィック媒体。